(57)【要約】      （修正有）【課題】板の間などの室内のみならず、室外の平坦な場所に簡易の和室を造るときに使用できる分解と持ち運びの容易な簡易和室用畳を提供すること。【解決手段】互いに密接して方形に配置する複数枚の畳１０と、これらの畳１０の全外周縁にあてがって固定するための外周枠１１とを具備し、前記外周枠１１は、その全周を複数の枠部材１５に分割し、この枠部材１５は、畳１０の直線部に配置される複数個の直線枠部１６ａと、４隅に配置される４個のコーナー枠部１６ｂとを有し、前記いずれか一方の枠部材１５の端部に形成したほぞと、いずれか他方の枠部材の端部に形成した前記ほぞの嵌合するほぞ溝とで連結具となし、この連結具により前記複数の枠部材１５を係脱自在に枠組みして外周枠とする。【選択図】図１
2006307509.tif 000002
【特許請求の範囲】
【請求項１】
互いに密接して方形に配置する複数枚の畳と、これらの畳の全外周縁にあてがって固定するための複数の直線枠部とコーナー枠部とで全周の枠組みをした外周枠とを具備し、前記外周枠は、その全周を複数の枠部材に分割し、かつ、分割した各枠部材を連結具で係脱自在に連結可能にしたことを特徴とする簡易和室用畳。
【請求項２】
互いに密接して方形に配置する複数枚の畳と、これらの畳の全外周縁にあてがって固定するための外周枠とを具備し、前記外周枠は、その全周を複数の枠部材に分割し、この枠部材は、畳の直線部に配置される複数個の直線枠部と、４隅に配置される４個のコーナー枠部とを有し、前記いずれか一方の枠部材の端部に形成したほぞと、いずれか他方の枠部材の端部に形成した前記ほぞの嵌合するほぞ溝とで連結具となし、この連結具により前記複数の枠部材を係脱自在に枠組みして外周枠としたことを特徴とする簡易和室用畳。
【請求項３】
互いに密接して方形に配置する縦と横の長さの等しい複数枚の畳と、これらの畳の全外周縁にあてがって固定するための外周枠とを具備し、前記外周枠は、その全周を複数の枠部材に分割し、この枠部材は、畳の直線部に配置され、畳の一辺の長さに等しい長さの複数個の直線枠部材と、４隅に配置される９０度の扇形の４個のコーナー枠部材とからなり、互いに連結される２個の前記枠部材の一方端部を連結具により二つ折りに連結し、互いに連結される２個の前記枠部材の他方端部を連結具により係脱自在に枠組みして外周枠としたことを特徴とする簡易和室用畳。
【請求項４】
互いに密接して正方形に配置する縦と横の長さの等しい複数枚の畳と、これらの畳の全外周縁にあてがって固定するための外周枠とを具備し、前記外周枠は、その全周を複数の枠部材に分割し、この枠部材は、畳の直線部に配置される複数個の直線枠部材と、直線枠部と９０度の扇形のコーナー枠部とを一体化して畳の直線部と４隅に配置される複数個の直線枠部材とからなり、これらのコーナー枠部のない直線枠部材と９０度コーナー枠部付きの直線枠部材とを連結具により係脱自在に枠組みして外周枠としたことを特徴とする簡易和室用畳。
【請求項５】
互いに密接して正方形に配置する縦と横の長さの等しい４枚の畳と、これらの畳の全外周縁にあてがって固定するための外周枠とを具備し、前記外周枠は、その全周を複数の枠部材に分割し、この枠部材は、直線枠部と４５度の扇形のコーナー枠部とを一体化して畳の直線部と４隅に配置される複数個の４５度コーナー枠部付き直線枠部材からなり、これらの４５度コーナー枠部付きの直線枠部材を連結具により互いに係脱自在に枠組みして外周枠としたことを特徴とする簡易和室用畳。
【請求項６】
縦と横の長さの等しい畳と縦と横の長さの異なる畳とを複数枚組み合わせて互いに密接して方形に配置する組み合わせ畳と、これらの畳の全外周縁にあてがって固定するための複数の直線枠部とコーナー枠部とで全周の枠組みをした外周枠とを具備し、前記外周枠は、その全周を複数の枠部材に分割し、かつ、分割した各枠部材を連結具で係脱自在に連結可能にしたことを特徴とする簡易和室用畳。
【発明の詳細な説明】
【技術分野】
【０００１】
本発明は、板の間、フローリング床、じゅうたんを敷いた洋室等の室内のみならず、室外の平坦な場所に簡易の和室を造るときに使用できる分解と持ち運びの容易な簡易和室用畳に関するものである。
【背景技術】
【０００２】
畳は、特有の香り、断熱性、弾力性、蝕感性等に優れ、正座したり、横になったりするときに極めて好ましい敷物である。室内のみならず、室外で野立てをしたりするとき等にも欠かすことができない。
【０００３】
このようなときに使用される分解と持ち運びの容易な簡易和室用畳がすでに提案されている（特許文献１）。
これは、畳の裏面の角隅部分に第１の面ファスナを取り付けておく。また、数１０ｃｍ角の薄板状連結板の上に第２の面ファスナを隣接する畳の枚数分だけ取り付けておき、この連結板を複数枚の畳が１点に集中して接合する部分に配置し、畳を載せて第１の面ファスナと第２の面ファスナとを結合させて畳のずれを防止しようとするものである。
【特許文献１】特開平７−２５９３０５号公報
【発明の開示】
【発明が解決しようとする課題】
【０００４】
上記従来方法では、複数枚の畳を相互に連結するものであるから、１枚ずつ順次畳を連結して行くため、途中で合わなくなったりして畳同士をぴったりと隙間なく連結する操作が面倒で、また、連結した後で畳の位置を移動しようとすると連結したすべての畳を一体に移動しなければならないので連結部分が外れたり、使用中に位置ずれを生じて隙間が生じたりする。また、連結具を畳の裏側に取り付けるので、畳に盛り上がりが生じ、これを防ぐために連結具以外に補助スペーサを用意しなければならない、などの問題点があった。
本発明は、板の間などの室内のみならず、室外の平坦な場所に簡易の和室を造るときに使用できる分解と持ち運びの容易な簡易和室用畳を提供することを目的とするものである。
【課題を解決するための手段】
【０００５】
本発明は、互いに密接して方形に配置する複数枚の畳と、これらの畳の全外周縁にあてがって固定するための外周枠とを具備し、前記外周枠は、その全周を複数の枠部材に分割し、この枠部材は、畳の直線部に配置される複数個の直線枠部と、４隅に配置される４個のコーナー枠部とを有し、前記いずれか一方の枠部材の端部に形成したほぞと、いずれか他方の枠部材の端部に形成した前記ほぞの嵌合するほぞ溝とで連結具となし、この連結具により前記複数の枠部材を係脱自在に枠組みして外周枠としたことを特徴とする簡易和室用畳である。
【０００６】
実施例２の外周枠は、その全周を複数の枠部材に分割し、この枠部材は、畳の直線部に配置され、畳の一辺の長さに等しい長さの複数個の直線枠部材と、４隅に配置される９０度の扇形の４個のコーナー枠部材とからなり、互いに連結される２個の前記枠部材の一方端部を連結具により二つ折りに連結し、互いに連結される２個の前記枠部材の他方端部を連結具により係脱自在に枠組みして外周枠とする。
【０００７】
実施例３の外周枠は、その全周を複数の枠部材に分割し、この枠部材は、畳の直線部に配置される複数個の直線枠部材と、直線枠部と９０度の扇形のコーナー枠部とを一体化して畳の直線部と４隅に配置される複数個の直線枠部材とからなり、これらのコーナー枠部のない直線枠部材と９０度コーナー枠部付きの直線枠部材とを連結具により係脱自在に枠組みして外周枠とする。
【０００８】
実施例４の外周枠は、その全周を複数の枠部材に分割し、この枠部材は、直線枠部と４５度の扇形のコーナー枠部とを一体化して畳の直線部と４隅に配置される複数個の４５度コーナー枠部付き直線枠部材からなり、これらの４５度コーナー枠部付きの直線枠部材を連結具により係脱自在に枠組みして外周枠とする。
【０００９】
縦と横の長さの等しい畳と縦と横の長さの異なる畳とを複数枚組み合わせて互いに密接して方形に配置する組み合わせ畳と、これらの畳の全外周縁にあてがって固定するための複数の直線枠部とコーナー枠部とで全周の枠組みをした外周枠とを具備し、前記外周枠は、その全周を複数の枠部材に分割し、かつ、分割した各枠部材を連結具で係脱自在に連結可能にしたことを特徴とする簡易和室用畳であってもよい。
【発明の効果】
【００１０】
請求項１記載の発明によれば、互いに密接して方形に配置する複数枚の畳と、これらの畳の全外周縁にあてがって固定するための複数の直線枠部とコーナー枠部とで全周の枠組みをした外周枠とを具備し、前記外周枠は、その全周を複数の枠部材に分割し、かつ、分割した各枠部材を連結具で係脱自在に連結可能にしたので、畳は相互に連結せずに、外周枠で固定する。そのため、途中で畳同士が合わなくなったりせず、常に畳同士がぴったりと隙間なく連結する。また、畳同士を連結する操作がない。固定した後で畳の位置を移動しようとするときは、外周枠を移動するだけですべての畳が一体に移動でき、使用中に位置ずれを生じて隙間が生じたりすることがない。また、連結具は、外周枠に取り付けるので、畳に盛り上がりが生じたりすることがない。
【００１１】
請求項２記載の発明によれば、枠部材は、畳の直線部に配置される複数個の直線枠部と、４隅に配置される４個のコーナー枠部とを有し、前記いずれか一方の枠部材の端部に形成したほぞと、いずれか他方の枠部材の端部に形成した前記ほぞの嵌合するほぞ溝とで連結具となし、この連結具により前記複数の枠部材を係脱自在に枠組みして外周枠としたので、外周枠の組み立てがいずれか一方の枠部材の端部に形成した連結具のほぞを他方の枠部材の端部に形成したほぞ溝に嵌合するだけで簡単にしかも確実に畳を保持できる。
【００１２】
請求項３記載の発明によれば、互いに密接して方形に配置する縦と横の長さの等しい複数枚の畳と、これらの畳の全外周縁にあてがって固定するための外周枠とを具備し、前記外周枠は、その全周を複数の枠部材に分割し、この枠部材は、畳の直線部に配置され、畳の一辺の長さに等しい長さの複数個の直線枠部材と、４隅に配置される９０度の扇形の４個のコーナー枠部材とからなり、互いに連結される２個の前記枠部材の一方端部を連結具により二つ折りに連結し、互いに連結される２個の前記枠部材の他方端部を連結具により係脱自在に枠組みして外周枠としたので、４枚の畳をイ草の向きや縁布の位置によって、縦方向のみ、横方向のみ、縦と横の組み合わせた市松模様など容易に趣を変えることができる。また、枠部材を連結する連結具を二つ折りするものと係脱可能に連結するものとによって連結したので、組み立てと分解が容易で、また、運搬時の収納が畳１枚分の広さで済み、取り扱いが容易である。
【００１３】
請求項４記載の発明によれば、互いに密接して正方形に配置する縦と横の長さの等しい複数枚の畳と、これらの畳の全外周縁にあてがって固定するための外周枠とを具備し、前記外周枠は、その全周を複数の枠部材に分割し、この枠部材は、畳の直線部に配置される複数個の直線枠部材と、直線枠部と９０度の扇形のコーナー枠部とを一体化して畳の直線部と４隅に配置される複数個の直線枠部材とからなり、これらのコーナー枠部のない直線枠部材と９０度コーナー枠部付きの直線枠部材とを連結具により係脱自在に枠組みして外周枠としたので、コーナー枠部のない直線枠部材と９０度コーナー枠部付きの直線枠部材との２種類の枠部材だけであり、組み立て間違いをすることがなく、素早く組み立てができる。
【００１４】
請求項５記載の発明によれば、互いに密接して正方形に配置する縦と横の長さの等しい４枚の畳と、これらの畳の全外周縁にあてがって固定するための外周枠とを具備し、前記外周枠は、その全周を複数の枠部材に分割し、この枠部材は、直線枠部と４５度の扇形のコーナー枠部とを一体化して畳の直線部と４隅に配置される複数個の４５度コーナー枠部付き直線枠部材からなり、これらの４５度コーナー枠部付きの直線枠部材を連結具により互いに係脱自在に枠組みして外周枠としたので、同一構造のコーナー枠部付きの直線枠部材だけであり、組み立て間違いをすることがなく、素早く組み立てができる。
【００１５】
請求項６記載の発明によれば、縦と横の長さの等しい畳と縦と横の長さの異なる畳とを複数枚組み合わせて互いに密接して方形に配置する組み合わせ畳と、これらの畳の全外周縁にあてがって固定するための複数の直線枠部とコーナー枠部とで全周の枠組みをした外周枠とを具備し、前記外周枠は、その全周を複数の枠部材に分割し、かつ、分割した各枠部材を連結具で係脱自在に連結可能にしたので、畳の並べ方の種類をより多く設定することができる。
【発明を実施するための最良の形態】
【００１６】
本発明は、互いに密接して方形に配置する複数枚の畳と、これらの畳の全外周縁にあてがって固定するための外周枠とを具備し、前記外周枠は、その全周を複数の枠部材に分割し、この枠部材は、畳の直線部に配置される複数個の直線枠部と、４隅に配置される４個のコーナー枠部とを有し、前記いずれか一方の枠部材の端部に形成したほぞと、いずれか他方の枠部材の端部に形成した前記ほぞの嵌合するほぞ溝とで連結具となし、この連結具により前記複数の枠部材を係脱自在に枠組みして外周枠としたことを特徴とする簡易和室用畳である。
連結具は、互いに連結される２個の前記枠部材の一方端部を二つ折りに連結し、互いに連結される２個の前記枠部材の他方端部を連結具により係脱自在に枠組みして外周枠とするものであってもよい。
【実施例１】
【００１７】
図１において、１０は、正方形の畳で、一辺の長さは、８２ｃｍ，８８ｃｍ，１００ｃｍの３種類とし、また、厚さは、１５〜３０ｍｍ程度とする。これらの長さと厚さは、使用目的により上記以外とすることもできる。
この畳１０は、図２に示すように、畳床１２の表面を畳表１３で覆い、この畳表１３の一辺には、縁布１４が巻き付け固定され、他の三辺は、畳表１３を畳床１２の裏まで巻き込んで縫い付け固定する。
前記畳床１２は、藁を使用したものでもよいが、軽量化、害虫防止、長期弾力性保持などのために、発泡体、しゅろ繊維、インシュレーションマット、多孔質ゴムマットなどの組合せとすることができる。
このように構成された畳１０は、４枚を正方形に並べて配置し、外周を外周枠１１で固定する。
【００１８】
図３において、前記外周枠１１は、その全周を複数の枠部材１５に分割する。この枠部材１５は、畳１０の側面に密着する直線枠部１６ａと４隅部に配置するコーナー枠部１６ｂとからなる。前記直線枠部１６ａは、長さが畳１０の一辺と同じ長さで、幅が４〜２０ｃｍ程度、厚さが畳１０と同じ厚さとする。前記コーナー枠部１６ｂは、中心角９０度の扇形とする。これら直線枠部１６ａとコーナー枠部１６ｂの周縁部分は、つまずき防止のためやや丸みをもった傾斜面２５とする。また、これら直線枠部１６ａとコーナー枠部１６ｂの下面には、必要に応じて軟質ゴムなどの滑り止め材２７が貼着される。
【００１９】
前記枠部材１５を構成する直線枠部１６ａとコーナー枠部１６ｂとは、別体とすることもできるし、また、一体とすることもできる。
図５（ａ）の枠部材１５は、直線枠部１６ａとコーナー枠部１６ｂとを分割して別体とし、直線枠部１６ａからなる８個の枠部材１５と、コーナー枠部１６ｂからなる４個の枠部材１５とで外周枠１１を構成した例を示している。
図５（ｂ）の枠部材１５は、直線枠部１６ａからなる４個の枠部材１５と、直線枠部１６ａと９０度のコーナー枠部１６ｂとを一体化した４個の枠部材１５との組み合わせで外周枠１１を構成した例を示している。
図５（ｃ）の枠部材１５は、４５度の扇形のコーナー枠部１６ｂと直線枠部１６ａとを一体化した８個の枠部材１５で外周枠１１を構成した例を示している。
【００２０】
前記複数個に分割された枠部材１５は、互いに接する面の下面で連結具１７により係脱自在又は屈曲自在に連結される。
前記連結具１７は、種々の形態に構成することができる。例えば、図６（ａ）に示すように、蝶番型１７ａとしたり、図６（ｂ）に示すように、Ｖ字溝２６を有する屈曲可能な合成樹脂等からなる屈曲板型１７ｂとすることができ、これらの例では、互いに連結された枠部材１５は、不使用時の収納・運搬時に二つ折り可能となる。
【００２１】
また、この連結具１７は、二つ折り型に限られず、係脱自在型とすることができる。例えば、図７（ａ）（ｂ）に示すものは、受け用ブラケット１９と挿入用ブラケット２０とからなり、受け用ブラケット１９は、下向きに開口した差し込み溝２１、この差し込み溝２１の左右のずれ防止部２２、側面の嵌合孔２３を、金属板のプレスによる折り曲げ、打ち抜き等の加工で形成する。前記挿入用ブラケット２０は、金属板をプレスによりＬ字形に折り曲げて挿入片２８とし、この挿入片２８に前記嵌合孔２３と係合する突起部２４を膨出するように形成する。
図８に示す連結具１７は、互いに係脱される一方の枠部材１５の端部に先端が広くなる楔形のほぞ２９を形成し、他方の枠部材１５の端部に先端が狭くなり、前記ほぞ２９が嵌合するほぞ溝３０を形成したものである。これらのほぞ２９とほぞ溝３０は、裏面側に板厚の途中まで形成することで、嵌合時に表面から見えないようにする。また、嵌合時に浮き上がりが生じて段差にならないようにやや固めに嵌め込むようにする。ほぞ２９とほぞ溝３０は、楔形に限られず、円形、楕円形、３角形などとすることもできる。
これら図６（ａ）、図６（ｂ）、図７（ａ）（ｂ）、図８示した連結具１７は、単独で使用してもよいし、適宜組み合わせて使用してもよい。
【００２２】
以上のように構成された外周枠１１を用いて簡易和室とするときの組み立て順序を説明する。
４枚の畳１０は、正方形の状態に並べる。この並べ方は、図１の例では、イ草の方向がすべて縦方向を向き、かつ、縁布１４が上下に位置するようにした。この４枚を並べた畳１０の４個所の外側周縁部に、図５（ａ）（ｂ）（ｃ）のいずれかの外周枠１１をあてがって４枚の畳１０の全外周縁側からしっかりと支えて簡易和室が形成される。各枠部材１５間を連結する連結具１７は、前記蝶番型１７ａ、屈曲板型１７ｂ、ブラケット型１７ｃ、ほぞ型１７ｄのいずれでもよいし、これらの組み合わせでもよい。
簡易和室としての使用後には、各枠部材１５に分解し、４枚の畳１０とともに、畳１０よりやや大き目の収納箱に収納して運搬し、保管する。
【００２３】
４枚の畳１０の正方形の配置は、図１の例に限られるものではなく、図４（ａ）〜（ｉ）のように種々配列することができる。
具体的には、上左を１番、上右を２番、下左を３番、下右を４番としたとき、図４（ａ）は、図中、１,２番の畳表１３を縦向きで、３,４番の畳表１３を横向きで、かつ、縁布１４を全て外側に位置させた例である。
図４（ｂ）は、１、２、３,４,番の畳表１３を縦・横・横・縦と市松模様で、かつ、縁布１４を全て外側に位置させた例である。
図４（ｃ）は、１、２、３,４番の畳表１３を縦・横・縦・横とし、かつ、縁布１４を外、外、内、外に位置させた例である。
図４（ｄ）は、１、２、３,４番の畳表１３を横・横・縦・縦とし、かつ、縁布１４を全て内側に位置させた例である。
図４（ｅ）は、１、２、３,４番の畳表１３を全て立て縦向きとし、かつ、縁布１４を全て内側に位置させた例である。
図４（ｆ）は、１、２、３,４番の畳表１３を縦・縦・縦・横とし、かつ、縁布１４を外、内、内、外に位置させた例である。
図４（ｇ）は、１、２、３,４番の畳表１３を縦・横・縦・縦とし、かつ、縁布１４を全て外側に位置させた例である。
図４（ｈ）は、１、２、３,４,番の畳表１３を縦・横・横・縦と市松模様で、かつ、縁布１４を中央に十文字に位置させた例である。
図４（ｉ）は、１、２、３,４番の畳表１３を全て横向きとし、かつ、縁布１４を縦方向の外側と内側に位置させた例である。
４枚の畳１０の配置は、これらの例に限られるものではなく、適宜変更することができる。
４枚の畳１０は、正方形の配置に限られるものではなく、図９に示すように横１列に並べた長方形に配置することができる。この場合、外周枠１１は、枠部材１５に分割することで、図１の場合の外周枠１１をそのまま連結し直して組み立てができる。
【００２４】
前記実施例では、畳１０の縁布１４は、イ草の切り口側の一辺のみ巻き付け固定したが、本発明は、これに限られるものではなく、イ草の切り口側の二辺に巻き付け固定するようにしても良い。
【００２５】
前記実施例では、正方形の畳１０を４枚並べて正方形とした場合を例示したが、本発明はこれに限られるものではなく、４枚の畳１０を図９に示すように横１列に並べた長方形に配置することができる。この場合、外周枠１１は、枠部材１５に分割することで、図１の場合の外周枠１１をそのまま連結し直して組み立てができる。
また、正方形の９枚の畳１０を正方形に並べ、かつ、枠部材１５を付加することで、広さの異なる簡易和室とするなど、使用目的に応じて適宜配置することができる。
【００２６】
前記実施例では、畳１０が正方形である場合を例示したが、本発明はこれに限られるものではなく、図１０に示すように、縦・横の長さの比が２倍の長方形畳１０ｂを３枚使用してもよいし、また、図１１に示すように、縦・横の長さの比が２倍の長方形畳１０ｂを４枚と、正方形の畳１０を１枚使用して組み合わせてもよく、使用目的に応じて適宜配置することができる。
これら図１０及び図１１において、外周枠１１を構成する外周枠１１は、図５（ａ）（ｂ）（ｃ）の例にしたがって、適宜採用することができる。
【図面の簡単な説明】
【００２７】
【図１】本発明による正方形の畳４枚を正方形に簡易和室用畳の一実施例を示す平面図である。
【図２】図１にて使用される畳１０の断面図である。
【図３】図１ににて使用される外周枠１１の断面図である。
【図４】（ａ）〜（ｉ）は、それぞれ４枚の畳１０の異なる配置例を示す平面図である。
【図５】（ａ）〜（ｃ）は、それぞれ図１にて使用される外周枠１１の異なる構成例の平面図である。
【図６】（ａ）（ｂ）は、それぞれ二つ折り型連結具１７の異なる例を示す断面図である。
【図７】（ａ）は、ブラケットを使用した係脱型連結具１７の実施例を示す断面図、（ｂ）は、この連結具１７の斜視図である。
【図８】ほぞを使用した係脱型連結具１７の実施例を示す斜視図である。
【図９】本発明による正方形の畳４枚を長方形に簡易和室用畳の一実施例を示す平面図である。
【図１０】縦と横の長さの比が２倍の畳１０を配置した例を示す平面図である。
【図１１】縦と横の長さの比が２倍の畳１０と、縦と横の長さが等しい畳１０とを組み合わせて配置した例を示す平面図である。
【符号の説明】
【００２８】
１０…畳、１１…外周枠、１２…畳床、１３…畳表、１４…縁布、１５…枠部材、１６ａ…直線枠部、１６ｂ…コーナー枠部、１７…連結具、１９…受け用ブラケット、２０…挿入用ブラケット、２１…差し込み溝、２２…ずれ防止部、２３…嵌合孔、２４…突起部、２５…傾斜面、２６…Ｖ字溝、２７…滑り止め材、２８…挿入片、２９…ほぞ、３０…ほぞ溝。
【図１】
2006307509.tif 000003
【図２】
2006307509.tif 000004
【図３】
2006307509.tif 000005
【図４】
2006307509.tif 000006
【図５】
2006307509.tif 000007
【図６】
2006307509.tif 000008
【図７】
2006307509.tif 000009
【図８】
2006307509.tif 000010
【図９】
2006307509.tif 000011
【図１０】
2006307509.tif 000012
【図１１】
2006307509.tif 000013